(57)【要約】【課題】運転スケジュールが予め設定されているか否かに関わらず、空調設備の設定温度を自動的に是正する。【解決手段】空調管理システムは、収集部２２ａと、抽出部２２ｂと、基準導出部２２ｃと、是正部とを備える。収集部２２ａは、空調設備の運転履歴を収集する。抽出部２２ｂは、運転履歴の中から、空調設備の設定温度と、空調設備の運転状況の属性との関係を示す関係データを抽出する。基準導出部２２ｃは、関係データに基づいて、属性の現在値に対応する設定温度の基準値を導出する。是正部は、設定温度の現在値が基準値よりも増エネルギー側にシフトしていると判断される場合に、設定温度を省エネルギー側に是正する。【選択図】図３
2012032105.tif 000002
【特許請求の範囲】
【請求項１】
空調設備（５０ａ，５０ｂ，・・・，５２）の運転履歴を収集する収集部（１２ａ，２２ａ）と、
前記運転履歴の中から、前記空調設備の設定温度と、前記空調設備の運転状況の属性との関係を示す関係データを抽出する抽出部（２２ｂ）と、
前記関係データに基づいて、前記属性の現在値に対応する前記設定温度の基準値を導出する基準導出部（１２ｅ，２２ｃ）と、
前記設定温度の現在値が前記基準値よりも増エネルギー側にシフトしていると判断される場合に、前記設定温度を省エネルギー側に是正する是正部（１２ｄ）と、
を備える、
空調管理システム（１００）。
【請求項２】
前記属性は、外気温度、時間帯の性質、前記空調設備（５０ａ，５０ｂ，・・・，５２）が設置される区画の種類、サーモオン／オフの状態、運転モードおよび空調対象空間における利用者の存否の状態の少なくとも１つである、
請求項１に記載の空調管理システム（１００）。
【請求項３】
前記是正部（１２ｄ）は、前記設定温度の現在値が前記基準値よりも増エネルギー側にシフトしていると判断されてから所定時間後に、前記設定温度を省エネルギー側に是正する、
請求項１又は２に記載の空調管理システム（１００）。
【請求項４】
外気温度の現在値、現在の時間帯の性質、前記空調設備（５０ａ，５０ｂ，・・・，５２）が設置される区画の種類、現在のサーモオン／オフの状態、現在の運転モードおよび空調対象空間における現在の利用者の存否の状態の少なくとも１つに応じて、前記所定時間を導出する時間導出部（１２ｆ）、
をさらに備える、
請求項３に記載の空調管理システム（１００）。
【請求項５】
前記基準導出部（１２ｅ，２２ｃ）は、前記関係データに基づいて、過去に前記属性が前記属性の現在値と同じ又は略同じ値をとった時の前記設定温度別の運転時間のうち、最長の前記運転時間に対応する前記設定温度の値を、前記基準値として導出する、
請求項１から４のいずれかに記載の空調管理システム（１００）。
【請求項６】
前記基準導出部（１２ｅ，２２ｃ）は、前記関係データに基づいて、過去に前記属性が前記属性の現在値と同じ又は略同じ値をとった時の前記設定温度のうち、最も省エネ性の高かった前記設定温度の値を、前記基準値として導出する、
請求項１から４のいずれかに記載の空調管理システム（１００）。
【請求項７】
複数の空調設備（５０ａ，５０ｂ，・・・，５２）からなる空調設備群を管理する空調管理システム（１００）であって、
前記空調設備群の運転履歴を収集する収集部（１２ａ，２２ａ）と、
前記空調設備群の中から選択される基準設備の前記運転履歴の中から、前記基準設備の設定温度と、前記基準設備の運転状況の属性との関係を示す関係データを抽出する抽出部（２２ｂ）と、
前記関係データに基づいて、前記空調設備群に含まれる前記基準設備とは異なる是正対象設備の前記属性の現在値に対応する、前記設定温度の基準値を導出する基準導出部（１２ｅ，２２ｃ）と、
前記是正対象設備の前記設定温度の現在値が前記基準値よりも増エネルギー側にシフトしていると判断される場合に、前記是正対象設備の前記設定温度を省エネルギー側に是正する是正部（１２ｄ）と、
を備える、
空調管理システム。
【請求項８】
前記属性は、外気温度、時間帯の性質、前記空調設備（５０ａ，５０ｂ，・・・，５２）が設置される区画の種類、サーモオン／オフの状態、運転モードおよび空調対象空間における利用者の存否の状態の少なくとも１つである、
請求項７に記載の空調管理システム（１００）。
【請求項９】
前記空調設備群（５０ａ，５０ｂ，・・・，５２）の前記運転履歴に基づいて、前記空調設備群の中から前記基準設備を所定のタイミングで選択し直す選択部（２２ｄ）、
をさらに備える、
請求項７又は８に記載の空調管理システム（１００）。
【請求項１０】
前記空調設備群（５０ａ，５０ｂ，・・・，５２）に含まれる、運転スケジュールが設定されているスケジュール設備に対し、前記運転スケジュールに沿った制御命令を送信するスケジュール制御部（１２ｂ）と、
前記スケジュール設備の前記運転スケジュールに違反する違反動作であって増エネルギー側に寄与するものが検出された場合に、前記スケジュール設備の動作を前記運転スケジュールに沿って是正する第１是正命令を前記スケジュール設備に対し送信するスケジュール是正部（１２ｃ）と、
をさらに備え、
前記是正部（１２ｄ）は、前記是正対象設備の前記設定温度を省エネルギー側に是正する第２是正命令を前記是正対象設備に対し送信し、
前記選択部は、前記空調設備群の前記運転履歴に含まれる前記第１是正命令および前記第２是正命令の少なくとも一方の履歴に基づいて、前記基準設備を選択する、
請求項９に記載の空調管理システム（１００）。
【発明の詳細な説明】
【技術分野】
【０００１】
本発明は、空調設備の設定温度を自動的に変更する空調管理システムに関する。
【背景技術】
【０００２】
近年、温暖化ガス削減の要請等により、空調設備を省エネルギーに制御することが求められている。その一環として、空調設備に対し運転スケジュールを設定し、空調設備を効率よく省エネルギーに制御する技術が提案されている（例えば、特許文献１の特開２０００−１３２５８９号公報）。運転スケジュールでは、空調設備の設定温度を定めることができる。
【発明の開示】
【発明が解決しようとする課題】
【０００３】
ところで、管理者等により省エネ性の観点から設定される空調設備の運転スケジュールは、必ずしも絶対的なものでなく、快適性の観点から、一般の利用者等に対し、運転スケジュールに反して設定温度を変更する操作が許容されることが多い。しかしながら、快適性を重視し、利用者が設定温度を無制限に変更できるようにしてしまうと、省エネ性が損なわれてしまう。そこで、出願人は、運転スケジュールに反して設定温度を変更する操作を検出し、そのような操作が検出された場合には、適当なタイミングで運転スケジュールに沿って設定温度を是正する技術に関連した出願を行った（特許文献２の特願２００９−０５９６４０）。しかしながら、上記技術では、運転スケジュールが予め設定されていない空調設備に対しては、設定温度を自動的に是正することができない。
【０００４】
本発明の課題は、運転スケジュールが予め設定されているか否かに関わらず、空調設備の設定温度を自動的に是正することができる空調管理システムを提供することにある。
【課題を解決するための手段】
【０００５】
本発明の第１観点に係る空調管理システムは、収集部と、抽出部と、基準導出部と、是正部とを備える。収集部は、空調設備の運転履歴を収集する。抽出部は、運転履歴の中から、空調設備の設定温度と、空調設備の運転状況の属性との関係を示す関係データを抽出する。基準導出部は、関係データに基づいて、属性の現在値に対応する設定温度の基準値を導出する。是正部は、設定温度の現在値が基準値よりも増エネルギー側にシフトしていると判断される場合に、設定温度を省エネルギー側に是正する。
【０００６】
ここでは、基準値を基準として、空調設備の設定温度が是正される。設定温度の基準値は、空調設備の設定温度と、空調設備の運転状況の属性との過去の関係を示す関係データに基づいて、その属性の現在値に対応する値として自動的に導出される。従って、運転スケジュールが予め設定されているか否かに関わらず、空調設備の設定温度を自動的に是正することができる。
【０００７】
本発明の第２観点に係る空調管理システムは、第１観点に係る空調管理システムであって、属性は、外気温度、時間帯の性質、空調設備が設置される区画の種類、サーモオン／オフの状態、運転モードおよび空調対象空間における利用者の存否の状態の少なくとも１つである。
【０００８】
ここでは、設定温度の基準値は、設定温度と、外気温度、時間帯の性質、空調設備が設置される区画の種類、サーモオン／オフの状態、運転モードおよび空調対象空間における利用者の存否の状態の少なくとも１つとの過去の関係に基づいて導出される。従って、空調設備の運転状況の属性に応じて、設定温度の基準値を適切に導出することができる。
【０００９】
本発明の第３観点に係る空調管理システムは、第１観点又は第２観点に係る空調管理システムであって、是正部は、設定温度の現在値が基準値よりも増エネルギー側にシフトしていると判断されてから所定時間後に、設定温度を省エネルギー側に是正する。
【００１０】
ここでは、設定温度の現在値が基準値よりも増エネルギー側にシフトしていると判断されてから、設定温度が実際に是正されるまで、所定の待ち時間がある。従って、快適性を保ちつつ、省エネルギーを図ることができる。
【００１１】
本発明の第４観点に係る空調管理システムは、第３観点に係る空調管理システムであって、時間導出部をさらに備える。時間導出部は、外気温度の現在値、現在の時間帯の性質、空調設備が設置される区画の種類、現在のサーモオン／オフの状態、現在の運転モードおよび空調対象空間における現在の利用者の存否の状態の少なくとも１つに応じて、上記所定時間を導出する。
【００１２】
ここでは、設定温度の現在値が基準値よりも増エネルギー側にシフトしていると判断されてから、設定温度が実際に是正されるまでの待ち時間が、外気温度の現在値、現在の時間帯の性質、空調設備が設置される区画の種類、現在のサーモオン／オフの状態、現在の運転モードおよび空調対象空間における現在の利用者の存否の状態の少なくとも１つに応じて導出される。従って、空調設備の運転状況の属性に応じて、空調設備の設定温度を適切なタイミングで是正することができる。
【００１３】
本発明の第５観点に係る空調管理システムは、第１観点から第４観点のいずれかに係る空調管理システムであって、基準導出部は、関係データに基づいて、過去に属性が属性の現在値と同じ又は略同じ値をとった時の設定温度別の運転時間のうち、最長の運転時間に対応する設定温度の値を、基準値として導出する。
【００１４】
ここでは、設定温度の基準値は、過去に空調設備の運転状況の属性が現在値と同じ又は略同じ値をとった時の設定温度別の運転時間のうち、最長のものに対応する設定温度の値となる。従って、設定温度の基準値を適切に導出することができる。
【００１５】
本発明の第６観点に係る空調管理システムは、第１観点から第４観点のいずれかに係る空調管理システムであって、基準導出部は、関係データに基づいて、過去に属性が属性の現在値と同じ又は略同じ値をとった時の設定温度のうち、最も省エネ性の高かった設定温度の値を、基準値として導出する。
【００１６】
ここでは、設定温度の基準値は、過去に空調設備の運転状況の属性が現在値と同じ又は略同じ値をとった時に設定されていた設定温度のうち、最も省エネ性の高かった設定温度の値となる。従って、設定温度の基準値を適切に導出することができる。
【００１７】
本発明の第７観点に係る空調管理システムは、収集部と、抽出部と、基準導出部と、是正部とを備え、複数の空調設備からなる空調設備群を管理する。収集部は、空調設備群の運転履歴を収集する。抽出部は、基準設備の運転履歴の中から、基準設備の設定温度と、基準設備の運転状況の属性との関係を示す関係データを抽出する。基準設備とは、空調設備群の中から選択される空調設備である。基準導出部は、関係データに基づいて、是正対象設備の属性の現在値に対応する、設定温度の基準値を導出する。是正対象設備とは、空調設備群に含まれる、基準設備とは異なる空調設備である。是正部は、是正対象設備の設定温度の現在値が基準値よりも増エネルギー側にシフトしていると判断される場合に、是正対象設備の設定温度を省エネルギー側に是正する。
【００１８】
ここでは、基準値を基準として、是正対象設備の設定温度が是正される。設定温度の基準値は、基準設備の設定温度と、基準設備の運転状況の属性との過去の関係を示す関係データに基づいて、是正対象設備のその属性の現在値に対応する値として自動的に導出される。従って、運転スケジュールが予め設定されているか否かに関わらず、空調設備（是正対象設備）の設定温度を他の空調設備（基準設備）を基準として自動的に是正することができる。
【００１９】
本発明の第８観点に係る空調管理システムは、第７観点に係る空調管理システムであって、属性は、外気温度、時間帯の性質、空調設備が設置される区画の種類、サーモオン／オフの状態、運転モードおよび空調対象空間における利用者の存否の状態の少なくとも１つである。
【００２０】
ここでは、設定温度の基準値は、設定温度と、外気温度、時間帯の性質、空調設備が設置される区画の種類、サーモオン／オフの状態、運転モードおよび空調対象空間における利用者の存否の状態の少なくとも１つとの過去の関係に基づいて導出される。従って、空調設備の運転状況の属性に応じて、設定温度の基準値を適切に導出することができる。
【００２１】
本発明の第９観点に係る空調管理システムは、第７観点又は第８観点に係る空調管理システムであって、選択部をさらに備える。選択部は、空調設備群の運転履歴に基づいて、空調設備群の中から基準設備を所定のタイミングで選択し直す。
【００２２】
ここでは、基準設備が所定のタイミングで再選択される。従って、設定温度の基準値を適切な値に維持することができる。
【００２３】
本発明の第１０観点に係る空調管理システムは、第９観点に係る空調管理システムであって、スケジュール制御部と、スケジュール是正部とをさらに備える。スケジュール制御部は、空調設備群に含まれるスケジュール設備に対し、運転スケジュールに沿った制御命令を送信する。スケジュール設備とは、運転スケジュールが設定されている空調設備である。スケジュール是正部は、スケジュール設備の運転スケジュールに違反する違反動作であって増エネルギー側に寄与するものが検出された場合に、第１是正命令をスケジュール設備に対し送信する。第１是正命令とは、スケジュール設備の動作を運転スケジュールに沿って是正する命令である。是正部は、第２是正命令を是正対象設備に対し送信する。第２是正命令は、是正対象設備の設定温度を省エネルギー側に是正する命令である。選択部は、空調設備群の運転履歴に含まれる第１是正命令および前記第２是正命令の少なくとも一方の履歴に基づいて、基準設備を選択する。
【００２４】
ここでは、スケジュール設備および是正対象設備の少なくとも一方における是正命令の履歴（例えば、是正命令が出された回数など）に基づいて、基準設備が選択される。従って、是正命令の履歴に基づいて、基準設備を適切に選択することができる。
【発明の効果】
【００２５】
本発明の第１観点に係る空調管理システムでは、運転スケジュールが予め設定されているか否かに関わらず、空調設備の設定温度を自動的に是正することができる。
【００２６】
本発明の第２観点に係る空調管理システムでは、空調設備の運転状況の属性に応じて、設定温度の基準値を適切に導出することができる。
【００２７】
本発明の第３観点に係る空調管理システムでは、快適性を保ちつつ、省エネルギーを図ることができる。
【００２８】
本発明の第４観点に係る空調管理システムでは、空調設備の運転状況の属性に応じて、空調設備の設定温度を適切なタイミングで是正することができる。
【００２９】
本発明の第５観点および第６に係る空調管理システムでは、設定温度の基準値を適切に導出することができる。
【００３０】
本発明の第７観点に係る空調管理システムでは、運転スケジュールが予め設定されているか否かに関わらず、空調設備（是正対象設備）の設定温度を他の空調設備（基準設備）を基準として自動的に是正することができる。
【００３１】
本発明の第８観点に係る空調管理システムでは、空調設備の運転状況の属性に応じて、設定温度の基準値を適切に導出することができる。
【００３２】
本発明の第９観点に係る空調管理システムでは、設定温度の基準値を適切な値に維持することができる。
【００３３】
本発明の第１０観点に係る空調管理システムでは、是正命令の履歴に基づいて、基準設備を適切に選択することができる。
【図面の簡単な説明】
【００３４】
【図１】本発明の実施形態に係る店舗管理システムの構成を示す図。
【図２】店舗内の空調設備およびコントローラの構成を示す図。
【図３】遠隔管理センター内の遠隔管理サーバの構成を示す図。
【図４】本部内の管理端末の構成を示す図。
【図５】基準温度関数の導出処理の流れを示すフローチャート。
【図６】設定温度−外気温度の分布図。
【図７】設定温度別の運転時間を示すグラフ。
【図８】非スケジュール設備に対する是正処理の流れを示すフローチャート。
【図９】変形例に係る、遠隔管理センター内の遠隔管理サーバの構成を示す図。
【図１０】変形例に係る、基準設備が学習される様子を示す概念図。
【図１１】変形例に係る、基準温度の導出処理の流れを示すフローチャート。
【発明を実施するための形態】
【００３５】
以下、図面を参照して、本発明の実施形態に係る店舗管理システム１００（空調管理システム）について説明する。
【００３６】
（１）全体構成
図１に示す店舗管理システム１００は、全国に点在する多数の店舗１ａ，１ｂ，・・・における省エネ活動を、店舗１ａ，１ｂ，・・・を統括する組織の本部３において管理することを支援するためのシステムである。なお、本実施形態における省エネ活動とは、店舗１ａ，１ｂ，・・・内にそれぞれ設置されている空調システム５０ａ，５０ｂ，・・・を対象とするものである。
【００３７】
店舗管理システム１００は、店舗１ａ，１ｂ，・・・内にそれぞれ設置されているコントローラ１０ａ，１０ｂ，・・・と、コントローラ１０ａ，１０ｂ，・・・がインターネット６を介して接続可能な遠隔管理サーバ２０と、遠隔管理サーバ２０にインターネット６を介して接続可能な管理端末３０とを含む。遠隔管理サーバ２０は、空調システム５０ａ，５０ｂ，・・・を遠隔から管理する遠隔管理サービス（省エネ活動を支援するサービスを含む）を提供する組織により運営される遠隔管理センター２内に設置されている。管理端末３０は、本部３内に設置されている。
【００３８】
店舗管理システム１００は、空調システム５０ａ，５０ｂ，・・・のうち、運転スケジュールが設定されている空調システム（以下、スケジュール設備と呼ぶ。）に対しては、スケジュール設備の運転スケジュールに違反する違反動作であって、増エネルギー側に寄与するものを検出し、その後、所定のタイミングで、スケジュール設備の動作を運転スケジュールに沿って是正する。運転スケジュールは、主として本部３の管理者により策定され、管理端末３０を介して遠隔管理サーバ２０にアップロードされ、その後、遠隔管理サーバ２０から適当なコントローラ１０ａ，１０ｂ，・・・にダウンロードされる。また、店舗管理システム１００は、空調システム５０ａ，５０ｂ，・・・のうち、運転スケジュールが設定されていない空調システム（以下、非スケジュール設備と呼ぶ。）に対しては、設定温度の現在値が設定温度の基準値（以下、基準温度と呼ぶ。）よりも増エネルギー側にシフトしている状態を検出し、その後、所定のタイミングで、非スケジュール設備の設定温度を基準温度に基づいて是正する。基準温度は、空調システム５０ａ，５０ｂ，・・・の運転履歴に基づいて導出される基準温度関数に基づいて導出される。
【００３９】
（２）空調システム
以下、図２を参照しつつ、空調システム５０ａについて説明するが、その他の空調システム５０ｂ，・・・についても同様であるものとする。
【００４０】
空調システム５０ａは、１以上の冷媒回路を形成している。冷媒回路は、室外機５１と、室外機５１に冷媒配管を介して接続される１以上の室内機５２とを有している。室外機５１および室内機５２は、図示されない圧縮機や熱交換器等を収容している。
【００４１】
室内機５２は、制御部５２ａを有し、室外機５１は、制御部５１ａを有する。制御部５２ａは、空調システム５０ａ専用の通信線５ｂを介し、同じ冷媒回路に属する制御部５１ａおよびコントローラ１０ａに接続されている。制御部５２ａには、空調対象空間における利用者の存否を検知する人検知センサ５２ｂが接続されている。
【００４２】
制御部５２ａは、リモコン５６又はコントローラ１０ａからの運転指令（例えば、室内機５２の起動又は停止を命じたり、室内機５２の設定温度の変更を命じたり、室内機５２の運転モードの変更を命じたりするもの）に従って、同じ冷媒回路に属する制御部５１ａと協調しつつ、同じ冷媒回路に含まれる各種部品の動作を制御し、室内を空調する。具体的には、圧縮機の周波数、各種ファンの回転数および各種弁の開度の調整等を行う。なお、リモコン５６は、店舗１ａ内に設置されており、室内機５２に対する運転指令の入力を店舗１ａ内の利用者から受け付ける操作インタフェース機器である。リモコン５６は、制御部５２ａに１対１又は１対多で専用の通信線５ｃを介して接続されている。
【００４３】
また、制御部５２ａは、室内機５２に関する情報（以下、監視データという）をコントローラ１０ａからの命令に応じてコントローラ１０ａに送信する。室内機５２の監視データには、室内機５２の運転パラメータ（起動／停止の起動状態、サーモオン／サーモオフの状態、設定温度、冷房／暖房／送風／除湿等の運転モードなど）、室内温度、空調対象空間における利用者の存否の状態、室内機５２に含まれる各種部品の状態値（例えば、室内ファンの回転数、冷媒回路の所定の位置における冷媒の温度および圧力を含む）、およびリモコン５６操作の履歴を示す情報が含まれる。なお、サーモオフ状態とは、室内機５２の熱交換器内に流れ込む冷媒の量を調節する弁が最大閉じられており、又は、圧縮機が停止しており、実質的に熱交換が行われていない状態を意味し、サーモオン状態とは、室内機５２の熱交換器内を冷媒が適度に流れており、実質的に熱交換が行われている状態を意味する。
【００４４】
一方、制御部５１ａは、室外機５１に関する情報（以下、監視データという）をコントローラ１０ａからの命令に応じてコントローラ１０ａに送信する。室外機５１の監視データには、外気温度、および室外機５１に含まれる各種部品の状態値（例えば、圧縮機の周波数、室外ファンの回転数、冷媒回路の所定の位置における冷媒の温度および圧力を含む）を示す情報が含まれる。
【００４５】
なお、空調対象空間における利用者の存否の状態は、室内機５２に取り付けられている人検知センサ５２ｂにより検知される。室内温度、外気温度、ならびに室内機５２および室外機５１に含まれる各種部品の状態値は、図示されないセンサ等により検知される。
【００４６】
（３）コントローラ
以下、図２を参照しつつ、コントローラ１０ａについて説明するが、その他のコントローラ１０ｂ，・・・についても同様であるものとする。
【００４７】
コントローラ１０ａは、通信部１１、制御部１２および記憶部１５を有しており、空調システム５０ａを監視および制御する機能を有している。
【００４８】
通信部１１は、コントローラ１０ａをＬＡＮ５ａひいてはインターネット６、および空調システム５０ａ専用の通信線５ｂに接続可能にするネットワークインターフェースである。
【００４９】
制御部１２は、ＣＰＵ、ＲＯＭおよびＲＡＭ等から構成されており、記憶部１５に記憶されているプログラムを読み出して実行することにより、収集部１２ａ、スケジュール制御部１２ｂ、スケジュール是正部１２ｃ、非スケジュール是正部１２ｄ、基準導出部１２ｅおよび時間導出部１２ｆ等として動作する。
【００５０】
収集部１２ａは、所定の時間間隔で（本実施形態では、１分毎に）、室内機５２の監視データを室内機５２から収集する。さらに、収集部１２ａは、所定の時間間隔で（本実施形態では、１分毎に）、室外機５１の監視データを室外機５１から収集する。収集部１２ａにより収集された監視データは、その収集日時に関連付けられて、記憶部１５内に保存される。
【００５１】
記憶部１５内の監視データは、その収集日時を示すデータとともに、コントローラ１０ａと遠隔管理サーバ２０との所定の時間間隔での（本実施形態では、３０分毎の）定期通信時に、インターネット６を介して遠隔管理サーバ２０にアップロードされる。また、定期通信時には、空調システム５０ａを制御するための制御データがインターネット６を介して遠隔管理サーバ２０からダウンロードされ、記憶部１５内に保存される。遠隔管理サーバ２０に空調システム５０ａの運転スケジュールが設定されている場合には、制御データとして運転スケジュールがダウンロードされるが、遠隔管理サーバ２０に空調システム５０ａの運転スケジュールが設定されていない場合には、制御データとして基準温度関数および是正時間関数がダウンロードされる。なお、コントローラ１０ａと遠隔管理サーバ２０との通信は、コントローラ１０がＷｅｂクライアントとして動作し、遠隔管理サーバ２０がＷｅｂサーバとして動作することにより実現される。
【００５２】
スケジュール制御部１２ｂおよびスケジュール是正部１２ｃは、記憶部１５内に運転スケジュールが保存されている場合（すなわち、空調システム５０ａに運転スケジュールが設定されている場合）には有効化され、記憶部１５内に運転スケジュールが保存されていない場合（すなわち、空調システム５０ａに運転スケジュールが設定されていない場合）には無効化される。一方、非スケジュール是正部１２ｄ、基準導出部１２ｅおよび時間導出部１２ｆは、記憶部１５内に運転スケジュールが保存されていない場合には有効化され、記憶部１５内に運転スケジュールが保存されている場合には無効化される。
【００５３】
スケジュール制御部１２ｂは、運転スケジュールに沿ったタイミングで、空調システム５０ａに含まれる適当な室内機５２に対し、運転スケジュールに沿った運転指令を送信する。
【００５４】
スケジュール是正部１２ｃは、所定の時間間隔で（本実施形態では、１分毎に）、空調システム５０ａに含まれる室内機５２の運転スケジュールに違反する違反動作であって、増エネルギー側に寄与するものの存否を判断する。そして、そのような違反動作が検出されると、その所定の時間（本実施形態では、３０分）後に、当該室内機５２の動作を運転スケジュールに沿って是正する運転指令を当該室内機５２に対し送信する。つまり、スケジュール是正部１２ｃは、スケジュール設備の運転設定と運転スケジュールとのずれを継続的に監視し、両者間にずれが検出されると、その所定の時間後に、スケジュール設備の動作を運転スケジュールに沿って是正する運転指令をスケジュール設備に対し送信する。
【００５５】
例えば、運転スケジュールにより「特定の室内機５２に、毎日９時から１８時まで、設定温度２７℃で、冷房モードでの運転を行わせる」ことが定められている場合には、スケジュール制御部１２ｂは、当該室内機５２に対し、毎日９時になると、起動指令とともに、設定温度を２７℃に、運転モードを冷房モードに設定する運転指令を送信する。その後１８時までの間、スケジュール是正部１２ｃは、当該室内機５２の運転設定と運転スケジュールとのずれを継続的に監視し、両者間にずれが検出されると、その所定の時間後に、同様の運転指令を当該室内機５２に対し送信する。
【００５６】
なお、室内機５２上では、コントローラ１０ａからのものであるか、リモコン５６からのものであるかに関わらず、室内機５２が受け取った最新の運転指令が優先的に実行される。従って、利用者は、例えばリモコン５６を操作することにより、室内機５２に運転スケジュールに違反する違反動作を行わせることができる。
【００５７】
非スケジュール是正部１２ｄ、基準導出部１２ｅおよび時間導出部１２ｆの動作については、後述する。
【００５８】
（４）遠隔管理サーバ
図３に示すように、遠隔管理サーバ２０は、通信部２１、制御部２２、出力部２３、入力部２４および記憶部２５を有するサーバコンピュータであり、コントローラ１０ａ，１０ｂ，・・・経由でそれぞれ空調システム５０ａ，５０ｂ，・・・を監視および制御する機能を有している。遠隔管理サーバ２０は、Ｗｅｂサーバ機能を有しており、Ｗｅｂクライアント機能を有する管理端末３０に店舗１ａ，１ｂ，・・・の管理画面を提供する。遠隔管理サーバ２０から管理端末３０に提供される管理画面には、スケジュール設定画面が含まれる。
【００５９】
通信部２１は、遠隔管理サーバ２０をインターネット６に接続可能にするネットワークインターフェースである。
【００６０】
制御部２２は、ＣＰＵ、ＲＯＭおよびＲＡＭ等から構成されており、記憶部２５に記憶されているプログラムを読み出して実行することにより、収集部２２ａ，抽出部２２ｂおよび基準導出部２２ｃ等として動作する。
【００６１】
収集部２２ａは、空調システム５０ａ，５０ｂ，・・・の運転履歴を収集する。具体的には、収集部２２ａは、コントローラ１０ａ，１０ｂ，・・・から送られてくる空調システム５０ａ，５０ｂ，・・・の監視データおよびその収集日時を示すデータを受け取り、適当な形式に整形し、記憶部２５内の運転履歴データベース２５ａに蓄積してゆく。
【００６２】
抽出部２２ｂおよび基準導出部２２ｃの動作については、後述する。
【００６３】
出力部２３は、ディスプレイおよびスピーカ等から構成されており、入力部２４は、マウスおよびキーボード等から構成されている。
【００６４】
記憶部２５は、ハードディスク等から構成されており、運転履歴データベース２５ａおよび制御情報データベース２５ｂを保持している。
【００６５】
運転履歴データベース２５ａには、空調システム５０ａ，５０ｂ，・・・の運転履歴、すなわち、コントローラ１０ａ，１０ｂ，・・・から送られてくる空調システム５０ａ，５０ｂ，・・・の監視データおよびその収集日時を示すデータが適当な形式で蓄積される。運転履歴データベース２５ａ内の監視データおよびその収集日時を示すデータは、遠隔管理サーバ２０が提供する報告書配信サービス、異常予知および異常検出サービスなどの各種遠隔管理サービスに利用される。報告書配信サービスとは、空調システム５０ａ，５０ｂ，・・・の利用状況（省エネ性に関する事項を含む）を示す報告書を自動的に作成し、本部３の管理者に向けて管理端末３０に提供するサービスである。
【００６６】
制御情報データベース２５ｂには、空調システム５０ａ，５０ｂ，・・・のそれぞれの運転スケジュールを保持するためのフィールドが確保されている。遠隔管理サーバ２０から管理端末３０に提供されるスケジュール設定画面は、パスワード認証を受けた本部３の管理者に対し、任意の空調システムに対する運転スケジュールの作成、変更および削除を受け付ける。スケジュール設定画面上で特定の空調システムに対し作成および変更された運転スケジュールは、当該特定の空調システムのＩＤと関連付けられて、制御情報データベース２５ｂ内に格納される。スケジュール設定画面上で削除された特定の空調システムの運転スケジュールは、制御情報データベース２５ｂ内から削除される。
【００６７】
また、制御情報データベース２５ｂには、空調システム５０ａ，５０ｂ，・・・のそれぞれに適用される基準温度関数および是正時間関数を保持するためのフィールドが確保されている。コントローラ１０ａ，１０ｂ，・・・は、遠隔管理サーバ２０との定期通信時に、それぞれ空調システム５０ａ，５０ｂ，・・・の運転スケジュールが制御情報データベース２５ｂ内に格納されている場合には、当該運転スケジュールをダウンロードし、格納されていない場合には、それぞれ空調システム５０ａ，５０ｂ，・・・に適用される基準温度関数および是正時間関数をダウンロードする。基準温度関数は、空調システム別に、下記（６）で詳述される処理によって決定される。是正時間関数は、予め手動で設定される。
【００６８】
（５）管理端末
図４に示すように、管理端末３０は、通信部３１、制御部３２、出力部３３、入力部３４および記憶部３５を有しており、本部３の管理者が日常業務に使用する汎用のパーソナルコンピュータである。管理端末３０には、Ｗｅｂクライアント機能を有するＷｅｂブラウザがインストールされている。本部３の管理者は、Ｗｅｂサーバである遠隔管理サーバ２０からＷｅｂブラウザ上に店舗１ａ，１ｂ，・・・の管理画面を取得することにより、店舗１ａ，１ｂ，・・・の管理を行う。
【００６９】
通信部３１は、管理端末３０をインターネット６に接続可能するネットワークインターフェースである。
【００７０】
制御部３２は、ＣＰＵ、ＲＯＭおよびＲＡＭ等から構成されている。出力部３３は、ディスプレイおよびスピーカ等から構成されており、入力部３４は、マウスおよびキーボード等から構成されている。記憶部３５は、ハードディスク等から構成されている。
【００７１】
（６）基準温度関数の導出処理の流れ
図５を参照しつつ、基準温度関数の導出処理の流れについて説明する。本処理は、所定のタイミングで（本実施形態では、１ヶ月に１回の時間間隔で）実行される。
【００７２】
本処理では、空調システム５０ａ，５０ｂ，・・・のそれぞれについて、ステップＳ１１からステップＳ１３が実行される。以下のステップＳ１１〜Ｓ１３の説明においては、空調システム５０ａが選択されている場合を例示する。
【００７３】
まず、ステップＳ１１では、抽出部２２ｂが、空調システム５０ａに運転スケジュールが設定されているか否かを判断する。空調システム５０ａに運転スケジュールが設定されていないと判断される場合には、ステップＳ１２に進み、空調システム５０ａに運転スケジュールが設定されていると判断される場合には、ステップＳ１２，Ｓ１３をスキップする。空調システム５０ａに運転スケジュールが設定されているか否かは、制御情報データベース２５ｂを参照することにより判断される。
【００７４】
ステップＳ１２では、抽出部２２ｂが、空調システム５０ａの運転履歴の中から、空調システム５０ａに含まれる全ての室内機５２の設定温度と、店舗１ａ近傍の外気温度との過去の関係を示す関係データを抽出する。店舗１ａ近傍の外気温度とは、空調システム５０ａの運転状況の属性を表す情報である。具体的には、抽出部２２ｂは、運転履歴データベース２５ａに蓄積されている空調システム５０ａの所定の期間分（例えば、過去１年分）の監視データの中から、空調システム５０ａに含まれる全ての室内機５２の設定温度のデータと店舗１ａ近傍の外気温度のデータとのデータセットを関係データとして抽出する。同じデータセットに含まれる設定温度のデータと外気温度のデータとは、同様のタイミングにおけるデータである。言い換えると、ステップＳ１２では、図６の設定温度−外気温度の分布図上の多数の点に対応する多数のデータセットが抽出される。
【００７５】
ステップＳ１３では、基準導出部２２ｃが、ステップＳ１２で抽出された関係データに基づいて、基準温度関数を導出する。基準温度関数とは、外気温度別の基準温度である。導出された基準温度関数は、空調システム５０ａのＩＤと関連付けられて、制御情報データベース２５ｂ内に格納される。具体的には、基準導出部２２ｃは、店舗１ａ付近で現在の季節に採り得る外気温度の範囲の中で外気温度を１℃刻みに順に選択してゆき、選択される外気温度（以下、選択外気温度）に対応する基準温度を、以下の手順により導出する。すなわち、基準導出部２２ｃは、ステップＳ１２で抽出された関係データの中から、過去に外気温度が選択外気温度と同じ又は略同じ値をとった時（本実施形態では、過去に外気温度が選択外気温度±１℃の範囲に入った時）の関係データ（以下、選別関係データ）を抽出する。続いて、基準導出部２２ｃは、選別関係データに基づいて、過去に外気温度が選択外気温度と同じ又は略同じ値をとった時の設定温度別の運転時間を導出し、最長の運転時間に対応する設定温度の値を、選択外気温度に対応する基準温度として導出する。例えば、選択外気温度が２７℃である場合には、図６の設定温度−外気温度の分布図上の点のうち、領域Ａ（外気温度が２７℃±１℃である２６℃〜２８℃の範囲）内の点に対応する関係データが、選別関係データとして抽出される。続いて、選別関係データに基づいて、図７に示すような設定温度別の運転時間が導出される。そして、最長の運転時間に対応する設定温度である２２℃が、選択外気温度に対応する基準温度となる。ところで、図６の分布図上の１の点の元データとなる監視データは、コントローラ１０ａ，１０ｂ，・・・において所定の時間間隔で（本実施形態では、１分毎に）取得されるものである。従って、設定温度別の運転時間は、設定温度別の選別関係データの量として導出することができる。
【００７６】
空調システム５０ａ，５０ｂ，・・・のそれぞれについてステップＳ１１からステップＳ１３の実行が終了すると、本処理が終了する。
【００７７】
（７）非スケジュール設備に対する是正処理の流れ
上記のとおり、非スケジュール設備（運転スケジュールが設定されていない空調システム）を管理するコントローラにおいては、スケジュール制御部１２ｂおよびスケジュール是正部１２ｃが無効化され、非スケジュール是正部１２ｄ、基準導出部１２ｅおよび時間導出部１２ｆが有効化される。以下では、図８を参照しつつ、非スケジュール是正部１２ｄ、基準導出部１２ｅおよび時間導出部１２ｆにより実行される、非スケジュール設備に対する是正処理の流れについて説明する。また、以下では、コントローラ１０ａ上で、非スケジュール設備である空調システム５０ａに対する是正処理が実行される場合を例示する。
【００７８】
ステップＳ２１では、基準導出部１２ｅは、記憶部１５に記憶されている基準温度関数を参照することにより、基準温度を導出する。具体的には、基準導出部１２ｅは、外気温度の現在値を、外気温度別の基準温度である基準温度関数に照合し、外気温度の現在値に対応する基準温度を導出する。外気温度の現在値は、室外機５１の制御部５１ａに問い合わせることにより取得される。ところで、上記のとおり、基準温度関数は、過去に外気温度が特定の外気温度と同じ又は略同じ値をとった時の設定温度別の運転時間のうち、最長の運転時間に対応する設定温度の値を、外気温度別にまとめたものである。従って、ステップＳ２１では、過去に外気温度が外気温度の現在値と同じ又は略同じ値をとった時の設定温度別の運転時間のうち、最長の運転時間に対応する設定温度の値が、基準温度として導出されることになる。
【００７９】
続くステップＳ２２では、時間導出部１２ｆは、記憶部１５に記憶されている是正時間関数を参照することにより、是正時間を導出する。具体的には、時間導出部１２ｆは、外気温度の現在値を、外気温度別の是正時間である是正時間関数に照合し、外気温度の現在値に対応する是正時間を導出する。外気温度の現在値は、室外機５１の制御部５１ａに問い合わせることにより取得される。
【００８０】
続くステップＳ２３では、非スケジュール是正部１２ｄは、空調システム５０ａに含まれる室内機５２のそれぞれについて、設定温度の現在値がステップＳ２１で導出された基準温度よりも増エネルギー側にシフトしているか否かを判断する。そして、少なくとも１の室内機５２において、設定温度の現在値がステップＳ２１で導出された基準温度よりも増エネルギー側にシフトしていると判断される場合には、その後、ステップＳ２２で導出された是正時間の経過を待って、ステップＳ２４に進む。一方、いずれの室内機５２においても設定温度の現在値がステップＳ２１で導出された基準温度よりも増エネルギー側にシフトしていないと判断される場合には、その後、所定の時間（本実施形態では、１分）の経過を待って、ステップＳ２１に戻る。
【００８１】
続くステップＳ２４では、非スケジュール是正部１２ｄは、室内機５２の設定温度を基準温度に是正する。具体的には、非スケジュール是正部１２ｄは、ステップＳ２３において設定温度の現在値がステップＳ２１で導出された基準温度よりも増エネルギー側にシフトしていると判断された室内機５２に対し、設定温度を基準温度に設定する運転指令を送信する。
【００８２】
（８）特徴
（８−１）
上記実施形態では、基準温度を基準として、空調システム５０ａ，５０ｂ，・・・に含まれる室内機５２の設定温度が是正される。基準温度は、空調システム５０ａ，５０ｂ，・・・に含まれる室内機５２の設定温度と、空調システム５０ａ，５０ｂ，・・・の運転状況の属性（外気温度）との過去の関係を示す関係データに基づいて、その属性の現在値に対応する値として自動的に導出される。従って、運転スケジュールが予め設定されているか否かに関わらず、空調システム５０ａ，５０ｂ，・・・に含まれる室内機５２の設定温度を自動的に是正することができる。また、基準温度は、過去に空調システム５０ａ，５０ｂ，・・・に含まれる室内機５２の運転状況の属性が現在値と同じ又は略同じ値をとった時の設定温度別の運転時間のうち、最長のものに対応する設定温度の値となる。従って、基準温度が適切に導出される。
【００８３】
（８−２）
上記実施形態では、設定温度の現在値が基準温度よりも増エネルギー側にシフトしていると判断されてから、設定温度が実際に是正されるまで、所定の待ち時間（是正時間）がある。従って、快適性を保ちつつ、省エネルギーを図ることができる。また、所定の待ち時間が、空調システム５０ａ，５０ｂ，・・・に含まれる室内機５２の運転状況の属性（外気温度）の現在値に応じて導出される。従って、空調システム５０ａ，５０ｂ，・・・に含まれる室内機５２の運転状況の属性の現在値に応じて、空調システム５０ａ，５０ｂ，・・・に含まれる室内機５２の設定温度を適切なタイミングで是正することができる。
【００８４】
（９）変形例
（９−１）
上記実施形態では、基準温度関数、基準温度および是正時間を空調システム単位で導出している。しかしながら、他の単位、例えば、室内機５２単位、冷媒回路単位で導出するようにしてもよい。
【００８５】
（９−２）
上記実施形態では、収集部２２ａは、空調システム５０ａ，５０ｂ，・・・の運転履歴の一部としての外気温度のデータを、コントローラ１０ａ，１０ｂ，・・・経由で室外機５１から取得している。しかしながら、インターネット６経由等で、気象データを有する他の機器から取得するようにしてもよい。同様に、基準導出部１２ｅおよび時間導出部１２ｆが参照する外気温度の現在値についても、インターネット６経由等で、気象データを有する他の機器から取得されるようにしてもよい。
【００８６】
（９−３）
上記実施形態において、基準温度関数を、外気温度別の基準時間ではなく、外気温度以外の項目別の基準時間としてもよい。また、基準時間関数を、複数の項目別の基準時間としてもよい。
【００８７】
同様に、是正時間関数を、外気温度別の是正時間ではなく、外気温度以外の項目別の是正時間としてもよい。また、是正時間関数を、複数の項目別の是正時間としてもよい。
【００８８】
ここでいう項目とは、空調システム５０ａ，５０ｂ，・・・（室内機５２）の運転状況の属性であり、外気温度の他、空調システム５０ａ，５０ｂ，・・・（室内機５２）の運転時の時間帯の性質、空調システム５０ａ，５０ｂ，・・・（室内機５２）が設置される区画の種類、空調システム５０ａ，５０ｂ，・・・（室内機５２）のサーモオン／オフの状態、空調システム５０ａ，５０ｂ，・・・（室内機５２）の運転モードおよび空調システム５０ａ，５０ｂ，・・・（室内機５２）の空調対象空間における利用者の存否の状態等である。
【００８９】
なお、空調システム５０ａ，５０ｂ，・・・（室内機５２）の運転時の時間帯の性質とは、例えば、店舗１ａ，１ｂ，・・・がレストランである場合には、昼食時間、夕食時間、営業時間外など、空調システム５０ａ，５０ｂ，・・・（室内機５２）の利用状況に一定の傾向をもたらすような時間帯の分類である。遠隔管理サーバ２０およびコントローラ１０ａ，１０，・・・が空調システム５０ａ，５０ｂ，・・・（室内機５２）の運転時の時間帯の性質を判断する方法としては、記憶部２５，１５に各時間帯の性質を示す店舗の営業スケジュール等を記憶させておくことが考えられる。
【００９０】
また、空調システム５０ａ，５０ｂ，・・・（室内機５２）が設置される区画の種類とは、例えば、店舗１ａ，１ｂ，・・・がレストランである場合には、厨房、客席、事務室など、空調システム５０ａ，５０ｂ，・・・（室内機５２）の利用状況に一定の傾向をもたらすような店舗１ａ，１ｂ，・・・内の区画の分類である。遠隔管理サーバ２０およびコントローラ１０ａ，１０，・・・が空調システム５０ａ，５０ｂ，・・・（室内機５２）が設置される区画の種類を判断する方法としては、記憶部２５，１５に各空調システム（室内機）が設置される区画を示す情報を記憶させておくことが考えられる。
【００９１】
本変形例によれば、基準温度および／または是正時間を、外気温度以外の項目に係る属性又は複数の項目に係る属性の現在値に応じて導出することができる。
【００９２】
（９−４）
上記実施形態では、ステップＳ２４において、室内機５２の設定温度を基準温度に是正している。しかしながら、省エネルギー側に所定の温度（例えば、１℃）だけシフトさせる等、室内機５２の設定温度を他の態様で省エネルギー側に是正するようにしてもよい。
【００９３】
（９−５）
上記実施形態では、空調システム５０ａ，５０ｂ，・・・に適用される基準温度関数を、それぞれ空調システム５０ａ，５０ｂ，・・・自身の設定温度と属性（外気温度）との過去の関係を示す関係データに基づいて導出している。しかしながら、空調システム５０ａ，５０ｂ，・・・に適用される基準温度関数を、他の特定の空調システム（基準設備）の設定温度と属性（例えば、外気温度）との過去の関係を示す関係データに基づいて導出するようにしてもよい。
【００９４】
例えば、本部３の管理者が、空調システム５０ａ，５０ｂ，・・・の利用状況に関する報告書を見ながら、店舗１ａ，１ｂ，・・・の中から省エネ性の観点からの優良店舗を選択し、優良店舗の空調システムを基準設備として遠隔管理サーバ２０に登録できるようにする。そして、空調システム５０ａ，５０ｂ，・・・に適用される基準温度関数を、基準設備の設定温度と属性（例えば、外気温度）との過去の関係を示す関係データに基づいて導出するようにする。具体的な基準温度関数の導出処理の流れとしては、基準設備に対しステップＳ１２，Ｓ１３を実行するようにすればよい。
【００９５】
あるいは、遠隔管理サーバ２０の記憶部２５に記憶されるプログラムを改変し、制御部２２が図９に示すように選択部２２ｄを有するようにしてもよい。選択部２２ｄは、所定のタイミングで、空調システム５０ａ，５０ｂ，・・・の運転履歴に基づいて、店舗１ａ，１ｂ，・・・の中から優良店舗を、すなわち、空調システム５０ａ，５０ｂ，・・・の中から基準設備を自動的に選択する。例えば、選択部２２ｄは、図１０に示すように、１週間に１度の時間間隔で、省エネ性の観点から店舗１ａ，１ｂ，・・・間のランク付けを行う。具体的には、店舗１ａ，１ｂ，・・・のそれぞれについて、直近１週間の是正回数（スケジュール是正部１２ｃによる是正の回数、非スケジュール是正部１２ｄによる是正の回数、および両者による是正の回数のいずれか）を算出する。そして、是正回数の最も少ない店舗の空調システムを基準設備とする。本態様によれば、スケジュール設備および非スケジュール設備の少なくとも一方における是正の履歴（つまり、設定温度を是正する運転指令の履歴）に基づいて、基準設備が自動的に選択される。従って、遠隔管理サーバ２０が基準設備を学習し、常に運用の優れた店舗の空調システムを基準設備として選択することができる。
【００９６】
（９−６）
上記実施形態のステップＳ２４を以下のように変更してもよい。
【００９７】
非スケジュール是正部１２ｄが、再度、外気温度の現在値に対応する基準温度を最新基準温度として導出する。そして、最新基準温度がステップＳ２３の実行時の設定温度と同じか又は増エネルギー側の温度であるである場合には、室内機５２の設定温度を是正せず、それ以外の場合には、室内機５２の設定温度を最新基準温度に是正する。
【００９８】
（９−７）
上記実施形態では、遠隔管理サーバ２０が基準温度関数を導出し、その後、遠隔管理サーバ２０からダウンロードされた基準温度関数に基づいて、コントローラ１０ａ，１０ｂ，・・・が外気温度の現在値に対応する基準温度を導出している。しかしながら、コントローラ１０ａ，１０ｂ，・・・が所定のタイミングで（例えば、１０分に１回の時間間隔で）外気温度の現在値を遠隔管理サーバ２０にアップロードし、遠隔管理サーバ２０が外気温度の現在値に対応する基準温度を導出し、当該基準温度が遠隔管理サーバ２０からコントローラ１０ａ，１０ｂ，・・・にダウンロードされるようにしてもよい。さらに、かかる場合において、遠隔管理サーバ２０は、図５に示す基準温度関数の導出処理を実行する代わりに、以下の図１１に示す基準温度の導出処理を実行するようにしてもよい。図１１の処理は、例えば、コントローラ１０ａ，１０ｂ，・・・から外気温度の現在値が送信されてくるタイミングで実行される。以下では、コントローラ１０ａから外気温度の現在値が送信されてきた時の処理を例示する。
【００９９】
ステップＳ３１では、抽出部２２ｂが、空調システム５０ａの運転履歴の中から、空調システム５０ａに含まれる全ての室内機５２の設定温度と、店舗１ａ近傍の外気温度との過去の関係を示す関係データであって、外気温度の現在値に対応するものを抽出する。具体的には、抽出部２２ｂは、運転履歴データベース２５ａに蓄積されている空調システム５０ａの所定の期間分（例えば、過去１年分）の監視データの中から、空調システム５０ａに含まれる全ての室内機５２の設定温度のデータと店舗１ａ近傍の外気温度のデータとのデータセットのうち、過去に外気温度が現在値と同じ又は略同じ値をとった時（例えば、過去に外気温度が現在値±１℃の範囲に入った時）ものを関係データとして抽出する。
【０１００】
続くステップＳ３２では、基準導出部２２ｃが、ステップＳ３１で抽出された関係データに基づいて、基準温度を導出する。具体的には、基準導出部２２ｃは、ステップＳ３１で抽出された関係データに基づいて、設定温度別の運転時間を導出し、最長の運転時間に対応する設定温度の値を、外気温度の現在値に対応する基準温度として導出する。ところで、上記のとおり、ステップＳ３１で抽出された関係データは、過去に外気温度が現在値と同じ又は略同じ値をとった時のデータである。従って、ステップＳ３２では、過去に外気温度が現在値と同じ又は略同じ値をとった時の設定温度別の運転時間のうち、最長の運転時間に対応する設定温度の値が、基準温度として導出されることになる。
【０１０１】
（９−８）
上記実施形態のステップＳ１３では、基準導出部２２ｃは、選別関係データに基づいて、過去に外気温度が選択外気温度と同じ又は略同じ値をとった時の設定温度別の運転時間を導出し、最長の運転時間に対応する設定温度の値を、選択外気温度に対応する基準温度として導出している。しかしながら、他の方法によって選択外気温度に対応する基準温度を導出するようにしてもよい。
【０１０２】
例えば、基準導出部２２ｃは、選別関係データに基づいて、過去に外気温度が選択外気温度と同じ又は略同じ値をとった時の設定温度を特定し、特定した設定温度のうち、最も省エネ性の高かった設定温度の値を、選択外気温度に対応する基準温度として導出する。なお、設定温度の省エネ性は、例えば、運転履歴データベース２５ａを参照し、当該設定温度が過去に採用されていた時の空調システム５０ａ，５０ｂ，・・・のエネルギー消費量等に基づいて評価することができる。従って、例えば、基準導出部２２ｃは、選別関係データに基づいて、過去に外気温度が選択外気温度と同じ又は略同じ値をとった時の設定温度別のエネルギー消費量を導出し、最小のエネルギー消費量に対応する設定温度の値を、選択外気温度に対応する基準温度として導出するようにしてもよい。また、遠隔管理サーバ２０が空調システム５０ａ，５０ｂ，・・・のエネルギー消費量のデータを得る方法としては、例えば、コントローラ１０ａ，１０ｂ，・・・が電力計等によって空調システム５０ａ，５０ｂ，・・・のエネルギー消費量を計測し、監視データとして定期通信時に遠隔管理サーバ２０にアップロードする、あるいは、空調システム５０ａ，５０ｂ，・・・の他の運転履歴に基づいて適当な方法で空調システム５０ａ，５０ｂ，・・・のエネルギー消費量を推定することが考えられる。
【０１０３】
（９−９）
上記変形例の要旨を任意に組み合わせてもよい。
【符号の説明】
【０１０４】
１０ａ，１０ｂ，・・・  コントローラ
１２ａ  収集部
１２ｂ  スケジュール制御部
１２ｃ  スケジュール是正部
１２ｄ  非スケジュール是正部（是正部）
１２ｅ  基準導出部
１２ｆ  時間導出部
２０  遠隔管理サーバ
２２ａ  収集部
２２ｂ  抽出部
２２ｃ  基準導出部
２２ｄ  選択部
５０ａ，５０ｂ，・・・  空調システム（空調設備）
５２  室内機（空調設備）
１００  店舗管理システム（空調管理システム）
【先行技術文献】
【特許文献】
【０１０５】
【特許文献１】特開２０００−１３２５８９号公報
【特許文献２】特願２００９−０５９６４０
【図１】
2012032105.tif 000003
【図２】
2012032105.tif 000004
【図３】
2012032105.tif 000005
【図４】
2012032105.tif 000006
【図５】
2012032105.tif 000007
【図６】
2012032105.tif 000008
【図７】
2012032105.tif 000009
【図８】
2012032105.tif 000010
【図９】
2012032105.tif 000011
【図１０】
2012032105.tif 000012
【図１１】
2012032105.tif 000013